【事件の表示】
　特願２００１−　６１８２４「受信機」拒絶査定不服審判事件〔平成１４年　９月１３日出願公開、特開２００２−２６１６４２〕について、次のとおり審決する。
【結　論】
　本件審判の請求は、成り立たない。
【理　由】
１．手続の経緯
　本願は、平成１３年３月６日の出願であって、平成１９年５月２４日付けで拒絶理由通知がなされ、同年７月２６日付けで手続補正がなされたが、同年１１月２０日付けで拒絶査定がなされ、これに対し、同年１２月２５日に拒絶査定不服審判の請求がなされるとともに、平成２０年１月２２日付けで手続補正がなされたものである。
　
２．平成２０年１月２２日付けの手続補正についての補正却下の決定
［補正却下の決定の結論］
　平成２０年１月２２日付けの手続補正を却下する。
　
［理由］
（１）補正後の請求項１に係る発明
　本件手続補正により、特許請求の範囲の請求項１は、
「受信した複数のチャネル信号を当該複数のチャネル信号が通過可能なフィルタとＡＧＣ回路とを介してＡ／Ｄ変換器に導き、デジタル信号に変換した後に復調処理を行う受信機において、
　前記フィルタの出力信号に予め前記フィルタの帯域外に希望信号として想定される受信レベルより十分に大きなレベルを有するパイロット信号を付加して前記ＡＧＣ回路に入力し、前記パイロット信号より大きなレベルの不要チャネル信号を受信した場合でも、常時前記パイロット信号が前記ＡＧＣ回路に入力されているので、受信信号の合成波形に係わるレベル変動を抑圧するようにしたことを特徴とする受信機。」
と補正された。
　
　上記補正は、補正前の請求項１における「不要チャネル信号」を「
前記パイロット信号より大きなレベルの
　そこで、本件手続補正後の上記請求項１に係る発明（以下、「本願補正発明」という。）が特許出願の際独立して特許を受けることができるものであるか（平成１８年法律第５５号改正附則第３条第１項によりなお従前の例によるとされる同法による改正前の特許法第１７条の２第５項において準用する同法第１２６条第５項の規定に適合するか）について、以下に検討する。
　
（２）引用例
　原査定の拒絶の理由に引用された特開平１０−６５４７１号公報（以下、「引用例１」という。）、及び特開２０００−１６５１６６号公報（以下、「引用例２」という。）には、それぞれ、図面とともに次の事項が記載されている。
　
（引用例１）
Ａ．「【０００１】
【発明の属する技術分野】アナログ回路とデジタル回路とを備えた無線受信機のＡＧＣ回路に関するものである。」
　
Ｂ．「【０００６】
【課題を解決するための手段】受信したアナログ信号を増幅するアナログ回路と、該アナログ回路の出力をデジタル変換して波形成形して出力するデジタル回路とを備えた受信機において、アナログ回路の出力をＡ／Ｄコンバータの入力側で分岐ししてピーク値を検出し、検出したピーク値に基づき生成したＡＧＣ信号によりアナログ回路の増幅度を制御する第１ＡＧＣ手段と、デジタル変換されたデジタル回路から出力する信号を分岐してＡＧＣ信号を生成してデジタル回路の増幅度を制御する第２ＡＧＣ手段とを備えた構成である。」
　
Ｃ．「【０００７】
【発明の実施の形態】図１は本発明の構成を示す構成図である。図中１はアンテナ、２は高周波増幅器、３はミキサ、４はミキサに局部信号を出力する局部発振器、５は中間周波フィルタ、６は中間周波増幅器、７はＡ／Ｄコンバータ、８はデジタルフィルタ、９はデジタル増幅器、１０はピーク値検出部と、検出したピーク値を積分してＡＧＣ信号を生成する回路とからなる第１ＡＧＣ信号発生回路、１１は第２ＡＧＣ信号発生回路である。
【０００８】この受信回路のＡＧＣ動作を説明する。アンテナ１からの受信信号を高周波増幅器２で増幅し、その出力をミキサ３に入力し、局部発振器４からの局部信号により中間周波数に変換し、中間周波フィルタ５を通して中間周波増幅器６で増幅してＡ／Ｄコンバータ７に出力する。Ａ／Ｄコンバータ７の入力側の信号を分岐して第１ＡＧＣ信号発生回路１０に供給してＡＧＣ信号を生成し、Ａ／Ｄコンバータ７の前の回路の高周波増幅器２と中間周波増幅器６にＡＧＣ信号を供給して制御する第１ＡＧＣ手段によって飽和を生じない増幅度に制御する。
【０００９】第１ＡＧＣ信号発生回路は、アナログ信号分岐して第１ＡＧＣ発生回路１０のピーク値検出部に入力してピーク値を取り出し、このピーク値を積分して平均化した信号でＡＧＣ信号を生成する。この第１ＡＧＣ信号発生回路１０はデジタル化のサンプリング信号の入らない生の受信信号をＡＧＣ制御することと、ピーク値の変動を抑えたＡＧＣ信号を生成できるものである。
【００１０】次に、Ａ／Ｄコンバータ７でデジタル信号にしてデジタルフィルタ８によって妨害波の除去や波形成形されてデジタル増幅器９に入力して増幅し、この出力信号を（Ｈ）点で分岐して、第２ＡＧＣ信号発生回路１１に供給してＡＧＣ信号を出力する。このＡＧＣ信号はデジタル増幅器９に供給されて第２ＡＧＣ手段によって所望の増幅度に制御される。」
　
Ｄ．「【００１１】図２に示した４つの表（ａ）から（ｄ）は、本発明による図１の回路図に示した（ａ）、（ｂ）、（ｃ）、及び（ｄ）の各要点で検出した信号強度であり、横軸に周波数をとり縦軸には信号強度を示したものである。
【００１２】図２の（ｂ）は、図１のＡ／Ｄコンバータ７の入力側の信号のレベルを示したもので図２の（ａ）の信号が第１ＡＧＣ手段で制御された状態を示したもので図の点線部分が第１ＡＧＣ手段で抑圧されて示してあり、受信信号でも妨害波でもＡ／Ｄコンバータで飽和しないようにＡＧＣが設定される。
【００１３】図２の（ｃ）は、図１のデジタルフィルタ８の信号の通過後を示したものであり、デジタルフィルタ８で混信している妨害波は除去される。
【００１４】図２の（ｄ）は図１の（Ｈ）点で検出した出力信号であり、第２ＡＧＣ手段によりデジタル増幅器９の増幅度がＡＧＣ制御されるが強い妨害波信号がデジタルフィルタ８て除去されているので、逆に目的信号は（ｂ）点での抑圧分も含めて十分増幅補償された信号として出力される。」
　
　上記Ｄの段落【００１１】には、「図２に示した４つの表（ａ）から（ｄ）は、本発明による図１の回路図に示した（ａ）、（ｂ）、（ｃ）、及び（ｄ）の各要点で検出した信号強度であり」と記載されており、少なくとも、図２（ａ）に示される「妨害信号」と「目的信号」という複数の信号は、図１の（ａ）点、すなわちアンテナ１の出力点に受信されている信号である。
　そして、図２（ｂ）は、中間周波数に変換された受信信号が中間周波フィルタを通過した後に第１ＡＧＣ手段で制御された状態を表しているものであるが、ここにも「妨害信号」と「目的信号」という複数の信号が示されており、上記中間周波フィルタは、少なくとも、中間周波数に変換された「妨害信号」と「目的信号」という複数の信号が通過可能なフィルタであるということができる。
　
　よって、上記Ａ〜Ｄの記載及び関連する図面を参照すると、引用例１には、次の発明が記載されているものと認められる。（以下、「引用例１記載の発明」という。）
「受信した妨害信号及び目的信号よりなる複数の信号を当該複数の信号が通過可能なフィルタと第１ＡＧＣ手段とを介してＡ／Ｄコンバータに導く受信機。」
　
（引用例２）
Ｅ．「【０００１】
【発明の属する技術分野】本発明は、入力された信号のレベルを自動的に一定のレベルに制御する自動信号レベル制御装置に関する。」
　
Ｆ．「【０００７】
【課題を解決するための手段】請求項１記載の発明は、上記課題を解決するため、入力信号の信号レベルを一定レベルになるように制御する自動信号レベル制御装置において、前記入力信号の周波数領域よりも高い又は低い周波数を有する一定振幅レベルの調整信号を発生する調整信号発生手段と、前記入力信号と調整信号とを加算する加算手段と、加算結果信号を一定レベルになるように制御するレベル制御手段と、一定レベルの加算結果信号のうち入力信号の周波数領域の信号を通過させる信号通過手段とを有することを要旨とする。」
　
Ｇ．「【０００８】
【発明の実施の形態】以下、本発明の実施の形態を図面を参照して説明する。
【０００９】図１は、本発明の実施の形態に係る自動信号レベル制御装置１の構成を示す図である。
【００１０】同図に示すように、この自動信号レベル制御装置１は、ゲイン調整信号を出力するゲイン調整信号出力部３と、音声信号とゲイン調整信号とを加算する加算回路５と、後述するＡＬＣ（Ａｕｔｏｍａｔｉｃ  Ｌｅｖｅｌ  Ｃｏｎｔｒｏｌ）回路７と、ゲイン調整信号の通過を阻止するフィルタ９とを備えている。
【００１１】ゲイン調整信号は、音声信号の周波数帯域に対して少なくとも数倍以上又は以下の一定の周波数である。この理由は、後でゲイン調整信号をフィルタでカットし易くするためである。
【００１２】ＡＬＣ回路７は、入力信号を自動的に一定のレベルになるように制御するものであり、同図に示すように、入力信号のレベルに応じたゲインによって増幅する可変ゲインアンプ１１と、入力信号のレベルを検出する信号レベル検出部１３とを備えている。」
　
Ｈ．「【００１３】次に、図２を参照して、自動信号レベル制御装置１の動作を説明する。
【００１４】電気信号に変換された音声信号が加算回路５の一端に入力される。なお、音声信号は、同図（ａ）に示す波形のようになる。一方、加算回路５の他端には、ゲイン調整信号出力部３から出力されているゲイン調整信号が入力されている。このゲイン調整信号は、音声信号が出力されていないときでも常に出力されており、音声信号がないときには、ゲイン調整信号がＡＬＣ回路７に入力される。ゲイン調整信号の波形を同図（ｂ）に示す。
【００１５】次に、加算回路５は、音声信号とゲイン調整信号とを加算して、その結果をＡＬＣ回路７に出力する。ＡＬＣ回路７に信号が入力されると、信号レベル検出部１３は、信号レベルの変動を検出して、信号レベルの変動に応じたゲイン制御信号を出力する。そして、可変ゲインアンプ１１は、ゲイン制御信号に応じてゲインを変化させ、入力信号レベルを増幅して出力する。
【００１６】ここで、音声信号がない状態から所定のレベル以上の音声信号が出力された場合の動作を説明する。
【００１７】音声信号がない場合には、ゲイン調整信号が加算回路５を介してＡＬＣ回路７の可変ゲインアンプ１１に入力される。一方、信号レベル検出部１３は、ゲイン調整信号のレベルを検出して、ゲイン調整信号のレベルに応じたゲイン制御信号を出力する。そして、可変ゲインアンプ１１のゲインは、ゲイン調整信号の振幅レベルが一定になるように調整され、可変ゲインアンプ１１は、入力信号を増幅して一定レベルの信号を出力する。音声信号がない状態においても、ＡＬＣ回路７にはゲイン調整信号が入力されるため、可変ゲインアンプ１１のゲインは、最大値よりも低い一定の値を示すようになり、著しくゲインが大きくなることを防ぐことができる。
【００１８】所定のレベル以上の音声信号が入力された場合には、加算回路５は、音声信号とゲイン調整信号を加算して、その結果をＡＬＣ回路７に出力する。ＡＬＣ回路７に信号が入力されると、信号レベル検出部１３は、信号レベルの変動を検出して、信号レベルに応じたゲイン制御信号を出力する。そして、可変ゲインアンプ１１は、ゲイン制御信号に応じてゲインを変化させる。音声信号のレベルが高いほど、可変ゲインアンプ１１のゲインは小さくなる。」
　
Ｉ．「【００２４】なお、本実施の形態では、音声信号を一定レベルになるように制御する場合について説明したが、本発明はこれに限定することなく、データ通信等に応用した場合でも、ゲイン調整信号が一種のＡＧＣ（Ａｕｔｏｍａｔｉｃ  Ｇａｉｎ  Ｃｏｎｔｒｏｌ）におけるパイロット信号の役目を果たし、様々な損失の線路を介しても一定のレベルを保持することができる。」
　
Ｊ．「【００２５】
【発明の効果】請求項１記載の本発明によれば、入力信号と入力信号の周波数領域よりも高い又は低い周波数を有する一定振幅レベルの調整信号とを加算して、加算結果信号を一定レベルになるように制御して、一定レベルの加算結果信号のうち入力信号の周波数領域の信号を通過させることで、高レベルの信号が入力された場合でも大きなゲイン変動を伴わずに、安定した出力を得ることができる。」
　
　上記Ｅ〜Ｊの記載及び関連する図面を参照すると、引用例２には、次の発明が記載されているものと認められる。（以下、「引用例２記載の発明」という。）
「入力信号の信号レベルを一定レベルになるように制御する自動信号レベル制御装置において、入力信号の周波数領域よりも高い又は低い周波数を有する一定振幅レベルの調整信号を入力信号に付加してＡＬＣ回路に入力し、高レベルの信号が入力された場合でも大きなゲイン変動を伴わずに安定した出力を得ることができるようにした自動信号レベル制御装置。」
　
（３）対比
　本願補正発明と引用例１記載の発明とを対比すると、引用例１記載の発明における「妨害信号及び目的信号よりなる複数の信号」、「第１ＡＧＣ手段」、「Ａ／Ｄコンバータ」は、それぞれ、本願補正発明における「複数のチャネル信号」、「ＡＧＣ回路」、「Ａ／Ｄ変換器」に相当するから、本願補正発明と引用例１記載の発明とは、ともに、
「受信した複数のチャネル信号を当該複数のチャネル信号が通過可能なフィルタとＡＧＣ回路とを介してＡ／Ｄ変換器に導く受信機。」
である点で一致し、次の点で相違する。
　
　相違点１：本願補正発明は、Ａ／Ｄ変換器でデジタル信号に変換した後に復調処理を行うものであるのに対し、引用例１においては、Ａ／Ｄコンバータに導いた後の処理が明示されていない点。
　
　相違点２：本願補正発明は、「フィルタの出力信号に予め前記フィルタの帯域外に希望信号として想定される受信レベルより十分に大きなレベルを有するパイロット信号を付加してＡＧＣ回路に入力し、前記パイロット信号より大きなレベルの不要チャネル信号を受信した場合でも、常時前記パイロット信号が前記ＡＧＣ回路に入力されているので、受信信号の合成波形に係わるレベル変動を抑圧するようにした」ものであるのに対し、引用例１記載の発明は、そのようなものではない点。
　
（４）判断
　そこで、上記相違点１，２について検討する。
　
（相違点１について）
　引用例１においては、Ａ／Ｄコンバータに導いた後の処理が明示されていないが、受信機において、復調処理を行うことは、当然予定されている処理にすぎない。
　よって、引用例１記載の発明において、Ａ／Ｄコンバータでデジタル信号に変換した後に復調処理を行うことは、当業者が容易に想到し得ることである。
　
（相違点２について）
　引用例１記載の発明に対して引用例２記載の発明を適用することにより、上記相違点２を当業者が容易に想到し得るかについて、以下に検討する。
　引用例２記載の発明において、ＡＬＣ回路に入力される「入力信号」は、上記引用例２の実施例では「音声信号」の例が示されているが、上記引用例２の段落【００２４】に、「なお、本実施の形態では、音声信号を一定レベルになるように制御する場合について説明したが、本発明はこれに限定することなく、データ通信等に応用した場合でも、ゲイン調整信号が一種のＡＧＣ（Ａｕｔｏｍａｔｉｃ  Ｇａｉｎ  Ｃｏｎｔｒｏｌ）におけるパイロット信号の役目を果たし、様々な損失の線路を介しても一定のレベルを保持することができる。」と記載されているように、どのような信号であってもよいものであり、引用例２記載の発明の技術は、引用例１記載の発明における「第１ＡＧＣ手段」への入力信号に対しても適用できる技術である。
　ここで、引用例１記載の発明における「第１ＡＧＣ手段」への入力信号は、「受信した妨害信号及び目的信号よりなる複数の信号」が「フィルタ」を通過した信号であり、この入力信号に対して、引用例２記載の発明における「入力信号の周波数領域よりも高い又は低い周波数を有する一定振幅レベルの調整信号」を付加する技術を適用した場合、上記「調整信号」は、上記「フィルタ」の通過帯域外のものとなることは、当業者にとって明らかである。
　そして、引用例２記載の発明は、「高レベルの信号が入力された場合でも大きなゲイン変動を伴わずに安定した出力を得ることができるようにした」ものであるところ、引用例１記載の発明においては、「第１ＡＧＣ手段」への入力信号として想定される「高レベルの信号」は、引用例１の図２に見られるような、目的信号を上回る強い妨害信号が加わった場合の目的信号と妨害信号の合成波形の信号であり、そのような高レベルの妨害信号が入力された場合でも大きなゲイン変動を伴わずに安定した出力を得ることができるようにするために、高レベルの妨害信号と同程度のレベルの調整信号、すなわち目的信号を上回るレベルを有する調整信号を付加して、安定した出力を得る効果を発揮させるようにすることは、当業者が容易に想到し得ることである。
　さらに、高レベルの妨害信号が相当に大きいレベルの信号であって、該高レベルの妨害信号を下回るレベルの調整信号を付加するような場合であっても、該調整信号が、目的信号を上回る十分に大きなレベルを有する信号であって、妨害信号のレベルに近い信号であれば、ある程度の効果を発揮することができるということは、当業者にとって明らかである。
　よって、引用例１記載の発明に対して引用例２記載の発明を適用することにより、「フィルタの出力信号に予め前記フィルタの帯域外に希望信号として想定される受信レベルより十分に大きなレベルを有するパイロット信号を付加してＡＧＣ回路に入力し、前記パイロット信号より大きなレベルの不要チャネル信号を受信した場合でも、常時前記パイロット信号が前記ＡＧＣ回路に入力されているので、受信信号の合成波形に係わるレベル変動を抑圧するようにした」ものとすることは、当業者が容易に想到し得ることである。
　
（本願補正発明の作用効果について）
　そして、本願補正発明の構成によってもたらされる効果も、引用例１，２に記載の発明から当業者が容易に予測することができる程度のものであって、格別のものとはいえない。
　
　したがって、本願補正発明は、引用例１，２に記載の発明に基いて、当業者が容易に発明をすることができたものであるから、特許法第２９条第２項の規定により、特許出願の際独立して特許を受けることができないものである。
　
（５）むすび
　よって、本件手続補正は、平成１８年法律第５５号改正附則第３条第１項によりなお従前の例によるとされる同法による改正前の特許法第１７条の２第５項において準用する同法第１２６条第５項の規定に違反するものであり、特許法第１５９条第１項において読み替えて準用する同法第５３条第１項の規定により却下されるべきものである。
　
３．補正却下の決定を踏まえた検討
（１）本願発明
　平成２０年１月２２日付けの手続補正は、上記のとおり却下されたので、本願の請求項１に係る発明は、平成１９年７月２６日付け手続補正書の特許請求の範囲の請求項１に記載されたとおりの次のものと認める。（以下、「本願発明」という。）
「受信した複数のチャネル信号を当該複数のチャネル信号が通過可能なフィルタとＡＧＣ回路とを介してＡ／Ｄ変換器に導き、デジタル信号に変換した後に復調処理を行う受信機において、
　前記フィルタの出力信号に予め前記フィルタの帯域外に希望信号として想定される受信レベルより十分に大きなレベルを有するパイロット信号を付加して前記ＡＧＣ回路に入力し、不要チャネル信号を受信した場合でも、常時前記パイロット信号が前記ＡＧＣ回路に入力されているので、受信信号の合成波形に係わるレベル変動を抑圧するようにしたことを特徴とする受信機。」
　
（２）引用例
　これに対して、原査定の拒絶の理由に引用された引用例とその記載事項は、上記２．（２）に記載したとおりである。
　
（３）対比・判断
　本願発明は、上記２．で検討した本願補正発明における「
前記パイロット信号より大きなレベルの
　そうすると、本願発明の構成要件を全て含み、さらに特定の限定を施したものに相当する本願補正発明が、上記２．（４）に記載したとおり、引用例１，２に記載の発明に基いて、当業者が容易に発明をすることができたものであるから、上記特定の限定を省いた本願発明は、同様に、引用例１，２に記載の発明に基いて、当業者が容易に発明をすることができたものである。
　
（４）むすび
　以上のとおり、本願発明は、引用例１，２に記載の発明に基いて、当業者が容易に発明をすることができたものであるから、特許法第２９条第２項の規定により特許を受けることができない。
　したがって、本願は、他の請求項について検討するまでもなく、拒絶されるべきものである。
　よって、結論のとおり審決する。